(57)【要約】【課題】一定水準の気密性、断熱性を有することを前提として、四季を通じ、住宅全体の空気環境、温熱環境を向上させ、特に夏期における快適な居住性を実現する住宅を提供することを課題とする。【解決手段】全体的に断熱性及び気密性を持たせた住宅であって、屋根及び基礎７を断熱処理し、小屋裏空間５及び床下空間６を含めて各室１〜４間を通気可能にすることにより、住宅全体の自然対流による通気を可能にしたことを特徴とする。好ましくは、日射熱取得量の調整手段を設置する。例えば、南面に設けた広い開口部９に庇１１、軒、バルコニー１０、日除け１２等の遮蔽手段を配備し、棟部及び軒裏部に換気口を設けると共に、屋根材直下の野地板とその下の断熱層との間に通気層を設け、あるいは、外壁材とその内側の断熱層との間に通気層を設ける。【選択図】　　　　図１
2004107960.tif 000002
【特許請求の範囲】
【請求項１】
全体的に断熱性及び気密性を持たせた住宅であって、屋根及び基礎を断熱処理し、小屋裏空間及び床下空間を含めて各室間を通気可能にすることにより、住宅全体の自然対流による通気を可能にしたことを特徴とする住宅。
【請求項２】
日射熱取得量の調整手段を設置した請求項１に記載の住宅。
【請求項３】
前記日射熱取得量の調整のために、南面に設けた広い開口部に庇、軒、バルコニー、日除け等の遮蔽手段を配備した請求項２に記載の住宅。
【請求項４】
前記日射熱取得量の調整のために、棟部及び軒裏部に換気口を設けると共に、屋根材直下の野地板とその下の断熱層との間に通気層を設けた請求項２又は３に記載の住宅。
【請求項５】
前記日射熱取得量の調整のために、外壁材とその内側の断熱層との間に通気層を設けた請求項２乃至４のいずれかに記載の住宅。
【請求項６】
前記住宅内の適宜個所に、通気用小孔を多数並設したダクトを水平方向及び／又は垂直方向に渡し、前記ダクトに接続した排気ファンの作用で前記ダクトを介し、前記住宅内からの排気を行なう排気設備を備えた請求項１乃至５のいずれかに記載の住宅。
【請求項７】
自然給気又は機械給気によって前記床下空間内に導入した外気を、室内に供給可能にした請求項１に記載の住宅。
【発明の詳細な説明】
【０００１】
【発明の属する技術分野】
本発明は全体換気システムを備えた住宅、より詳細には、住宅全体を効率よく換気して熱のこもりをなくし、快適な居住性を実現する住宅に関するものである。
【０００２】
【従来の技術】
住宅の換気は、１台又は複数台のファンにより、各室ごとに排気、給気又は給排気を行ない、住宅の気積全体の半分程の空気の換気を行うものがほとんどである。これは、各室ごとの必要換気量の換気を目的としたものである。
【０００３】
また、近時、高断熱・高気密住宅が隆盛である。かかる住宅は、住宅全体の温熱環境の改善を企図したものであるが、基本的に上下方向の温度差ができにくく、住宅内において自然対流が起こりにくい構造となる。
【０００４】
【発明が解決しようとする課題】
上述したように、従来行われている住宅の換気は、必要最低限の室内換気であって、住宅全体の温熱環境の向上を企図したものではない。また、近時の高断熱・高気密住宅の構造は、自然対流が起こりにくく、室内空気が淀みやすく、特に夏期にオーバーヒート状態となって熱がこもりやすいという欠点がある。
【０００５】
本発明は、このような従来の住宅換気における問題点を解決するためになされたもので、一定水準の気密性、断熱性を有することを前提として、四季を通じ、住宅全体の空気環境、温熱環境を向上させ、特に夏期における快適な居住性を実現する住宅を提供することを課題とする。
【０００６】
【課題を解決するための手段】
上記課題を解決するための本発明に係る住宅は、全体的に断熱性及び気密性を持たせた住宅であって、屋根及び基礎を断熱処理し、小屋裏空間及び床下空間を含めて各室間を通気可能にすることにより、住宅全体の自然対流による通気を可能にしたことを特徴とする。
【０００７】
好ましくは、日射熱取得量の調整手段を設置する。例えば、南面に設けた広い開口部に庇、軒、バルコニー、日除け等の遮蔽手段を配備し、棟部及び軒裏部に換気口を設けると共に、屋根材直下の野地板とその下の断熱層との間に通気層を設け、あるいは、外壁材とその内側の断熱層との間に通気層を設ける。
【０００８】
また、前記住宅内の適宜個所に、通気用小孔を多数並設したダクトを水平方向及び／又は垂直方向に渡し、前記ダクトに接続した排気ファンの作用で前記ダクトを介し、前記住宅内からの排気を行なう排気設備を備えることが好ましく、更に、自然給気又は機械給気によって前記床下空間内に導入した外気を室内に供給可能にすることが好ましい。
【０００９】
【発明の実施の形態】
本発明の実施の形態を添付図面に依拠して説明する。図１は、本発明に係る全体換気システムを備えた住宅を二階建てに構成した例を示すものである。
【００１０】
本発明の対象となる住宅は、一般的方法によって適度な断熱性と気密性を持たせたものであり、その換気は各室１〜４ごとの個別換気ではなく、住宅全体を１つの空間と考えての全体換気である。本発明において全体換気という場合の通気空間は、各居住室１〜４のみならず、小屋裏空間５及び床下空間６を含めたものである。小屋裏空間５及び床下空間６を通気範囲に含めるために、屋根及び基礎を断熱処理する。即ち、屋根においては垂木間もしくは垂木の外側に断熱材を配置し、基礎においては布基礎７及びフーティングの外側面及び／又は内側面に断熱材を配置し、場合によっては更に、土間等にも断熱材を配置する。
【００１１】
全体換気を実現するために、各隣接する室１〜４間（特に上下に隣接する室間）、並びに、小屋裏空間５及び床下空間６とこれらに隣接する室１〜４間を通気可能にする。そのためには、上下室間、並びに、小屋裏空間５及び床下空間６と室１〜４間に、通気可能なスリット、ガラリ、あるいは、吹抜け、階段等の通気手段８を配備する。好ましくは、通気手段８は、外周壁近くに配置し、また、平面視上、対角的位置に配置する。
【００１２】
本住宅の設計に当っては、特に夏期において日射熱による冷房効率の悪化を防止するために、日射熱取得量の調整手段が組み入れられる。その調整手段の第１は、南面（真南とは限らない。）に広い開口部９を設け、且つ、その開口部９に当たる日射を部分的に遮るバルコニー１０、庇１１、簾１２、延設した軒等の日射遮蔽手段を設置することである。かくして、入射角の大きい夏期には、日射を遮蔽して日射熱の取得量を減少させ、入射角の小さい冬期には、広い開口部９を通して日射熱の取得量を増加させることが可能となる。
【００１３】
日射熱取得量の第２の調整手段は、棟の開口部上に適宜換気装置１３を配置すると共に、屋根材直下の野地板１４とその下の断熱層１５との間に、換気口１７を介して大気と連通する通気層１６を設けることである（図３参照）。かくして、空気が通気層１６内を通流することにより、屋根材からの輻射熱が室内側に伝達されることが抑制される。
【００１４】
同様の趣旨で、外壁材１８と断熱層１９との間にも通気層２０を設けることが好ましい（図５参照）。
【００１５】
小屋裏５の棟部には、小屋裏強制換気装置２１が設置される。小屋裏強制換気装置２１は、基本的には、多数の通気用小孔２３を並設した給排気用のダクト２２と、ダクト２２に設置される排気ファン２４とから成り、排気ファン２４を介して設置される分岐管２５の端部は、壁又は屋根を貫いて外部に出される（図２及び図４参照）。図６は、ダクト２２の形状例を示すものである。
【００１６】
この小屋裏強制換気装置２１の場合、夏期には排気ファン２４の作用で屋根面に均等な気流を作り出し、日射による屋根面の熱を速やかに排出させる。なお、冬期には排気ファン２４の風量は、暖房効率を考慮し、屋内の汚染空気を排出させる程度に調整する。
【００１７】
２７は、住宅の中心部付近に垂直に配置したダクトで、室内強制換気装置２６を構成する。このダクト２７も、ダクト２２と同様に小孔２３を設けたものである。ダクト２７は、床下空間６から１階の室１、２間及び２階の室３、４間を通り、天井を突き抜けて小屋裏５にまで延ばし、その中程に、分岐管２８を設置する。分岐管２８は、ダクト２７の中程から、仕切壁内をダクト２７と直角の方向、即ち、水平方向に延ばし、ファン２９を介して室外に開口させる。
【００１８】
この室内強制換気装置２６は、ファン２９の作用で、ダクト２７から、各室１〜４、小屋裏５及び床下空間６内の熱及び汚れた空気を吸入し、分岐管２８を介して屋外に排出する機能を果たす。
【００１９】
以上の構成において、通気手段８を介して、夏期には比較的冷たく、冬期には比較的暖かい床下空間６内の空気を自然給気により室内に導入することができるが、これを機械給気によって積極的に行うようにすることもできる。そのためには、床下空間６内において、通気手段８の設置部分に、適宜給気装置３０を設置すればよい。
【００２０】
但し、本発明に係る住宅においては、住宅全体の空気の自然対流を重視するので、給気装置３０の動作が過度にならないように留意する必要がある。
【００２１】
本発明に係る住宅は上記のように構成されるため、小屋裏５及び床下空間６を含めて住宅全体が１つの通気空間となる。そして、基礎部を含めて住宅全体が断熱され、且つ、日射熱取得量の調整手段によって取得日射熱量の調整が行われる。
【００２２】
かかる構成においては、小屋裏５と床下空間６との間に温度差が生じ、住宅全体に自然対流が起こりやすくなり、夏期には床下空間６内の比較的冷たい空気が、また、冬期には比較的暖かい空気が、それぞれ室内に自然通流する。この室内への給気は、機械給気によって一層助長することができる。
【００２３】
なお、室内に通流する空気は、上述したように、野地板１４と断熱層１５との間の通気層１６に空気が流れることにより、小屋裏５内の空気に対する輻射熱の伝達が抑制されることから、外熱の影響を受けにくいものとなる。
【００２４】
更に、床下空間６に暖冷房装置３１を配置し、室内に供給する空気の温度調整や湿度調整をすることにより、室内温熱環境の一層の向上を図ることができる。
この場合も、自然対流を阻害することがないように、暖冷房装置３１として、室内に強制的な気流を余り発生させない輻射型タイプのものを用いることが好ましい。
【００２５】
【発明の効果】
本発明は上述した通りであって、本発明によれば、小屋裏及び床下空間を含めた住宅全体が、自然対流による換気が可能な構成とされ、これに日射熱取得量の調整手段が付加され、更には、機械換気設備並びに暖冷房装置が配備されることにより、室内温度及び湿度が効率よくコントロールされ、以て暖冷房効率が向上してエネルギーの削減が図れ、四季を通じて良好な空気環境及び温熱環境が得られる住宅を提供し得る効果がある。
【図面の簡単な説明】
【図１】本発明に係る全体換気システムを備えた住宅の構成図である。
【図２】本発明に係る全体換気システムを備えた住宅の屋根部の構成図である。
【図３】本発明に係る全体換気システムを備えた住宅の屋根部の構成図である。
【図４】本発明に係る全体換気システムを備えた住宅におけるダクト部分の構成例を示す図である。
【図５】本発明に係る全体換気システムを備えた住宅の壁部構成図である。
【図６】本発明に係る全体換気システムを備えた住宅において用いるダクトの構成例を示す図である。
【符号の説明】
１　　室
２　　室
３　　室
４　　室
５　　小屋裏
６　　床下空間
７　　基礎
８　　通気手段
９　　開口部
１０　　バルコニー
１１　　庇
１２　　簾
１３　　換気装置
１４　　野地板
１５　　断熱層
１６　　通気層
１７　　換気口
１８　　外壁材
１９　　断熱層
２０　　通気層
２１　　強制換気装置
２２　　ダクト
２３　　通気用小孔
２４　　排気ファン
２５　　分岐管
２６　　室内強制換気装置
２７　　ダクト
２８　　分岐管
２９　　ファン
３０　　給気装置
３１　　暖冷房装置
【図１】
2004107960.tif 000003
【図２】
2004107960.tif 000004
【図３】
2004107960.tif 000005
【図４】
2004107960.tif 000006
【図５】
2004107960.tif 000007
【図６】
2004107960.tif 000008